(57)【要約】【課題】周辺に他のデバイスが存在するものと判断されれば、それと共に連動機能を自動に実行する方法およびこれを適用したデバイスを提供する。【解決手段】本発明の連動機能を自動に実行する方法は、デバイスが、前記デバイスの周辺に他のデバイスが存在するか否かを判断するステップと、前記他のデバイスが存在すると判断される場合、前記デバイスが前記他のデバイスの位置に応じて前記他のデバイスとの連動機能を行うステップと、を含む。【選択図】図８
2011045087.tif 000002
【特許請求の範囲】
【請求項１】
デバイスが、前記デバイスの周辺に他のデバイスが存在するか否かを判断するステップと、
前記他のデバイスが存在すると判断される場合、前記デバイスが前記他のデバイスの位置に応じて前記他のデバイスとの連動機能を行うステップと、
を含むことを特徴とする連動機能の自動実行方法。
【請求項２】
前記デバイスが、前記他のデバイスの位置を判断するステップをさらに含み、
前記ステップは、
前記他のデバイスが第１位置と判断されれば、前記デバイスが第１連動機能を行うステップと、
前記他のデバイスが第２位置と判断されれば、前記デバイスが第２連動機能を行うステップと、
を含むことを特徴とする請求項１に記載の連動機能の自動実行方法。
【請求項３】
前記他のデバイスが前記デバイスの上に位置すれば、
前記他のデバイスに保存された写真が前記デバイスに自動バックアップされるステップと、
前記他のデバイスが前記デバイスの前に位置すれば、
前記他のデバイスに保存された写真がスライドショー方式で再生されるステップと、
を含むことを特徴とする請求項１に記載の連動機能の自動実行方法。
【請求項４】
前記他のデバイスが前記デバイスの横に並んで位置すれば、
前記他のデバイスに保存されたアドレス帳が、前記デバイスに保存されるアドレス帳と同期化されるステップと、
前記他のデバイスが前記デバイスと対向して位置すれば、
前記他のデバイスに保存された写真が前記デバイスに保存された写真と同期化されるステップと、
を含むことを特徴とする請求項１に記載の連動機能の自動実行方法。
【請求項５】
前記他のデバイスが前記デバイスの正面方向に位置すれば、
前記他のデバイスに保存された写真が前記デバイスにスライドショー方式で再生されるステップと、
前記他のデバイスが前記デバイスの横方向に位置すれば、
前記他のデバイスに保存されたコンテンツと、前記デバイスに保存されるか、または接続されたコンテンツと同期化されるステップと、
を含むことを特徴とする請求項１に記載の連動機能の自動実行方法。
【請求項６】
前記実行ステップは、
前記連動機能が予め設定されている場合に前記連動機能を行うことを特徴とする請求項１に記載の連動機能の自動実行方法。
【請求項７】
前記実行ステップは、
前記デバイスが自分が行っていた機能を中止し、前記連動機能を行うことを特徴とする請求項１に記載の連動機能の自動実行方法。
【請求項８】
前記実行ステップは、
前記他のデバイスが前記デバイスの周辺から離隔された後にも継続して行われることを特徴とする請求項１に記載の連動機能の自動実行方法。
【請求項９】
他のデバイスと連動機能を行う連動機能の自動実行デバイスであって、
周辺に前記他のデバイスが存在するか否かを判断する通信部と、
前記他のデバイスが存在すると判断されれば、前記他のデバイスの位置に応じて前記他のデバイスとの連動機能を行うように前記自動実行デバイスを制御する制御部と、
を備えることを特徴とする連動機能の自動実行デバイス。
【請求項１０】
前記制御部は、
前記他のデバイスの位置を判断し、
前記他のデバイスが第１位置と判断されれば、第１連動機能を行い、
前記他のデバイスが第２位置と判断されれば、第２連動機能を行うことを特徴とする請求項９に記載の連動機能の自動実行デバイス。
【請求項１１】
前記制御部は、
前記連動機能が予め設定されている場合に前記連動機能を行うことを特徴とする請求項９に記載の連動機能の自動実行デバイス。
【請求項１２】
前記制御部は、
前記自動実行デバイスが行っていた機能を中止し、前記連動機能を行うことを特徴とする請求項９に記載の連動機能の自動実行デバイス。
【請求項１３】
前記制御部は、
前記他のデバイスが前記自動実行デバイスの周辺から離隔された後にも継続して行われることを特徴とする請求項９に記載の連動機能の自動実行デバイス。
【請求項１４】
少なくとも１つのデバイスと連動機能を自動に行う第１デバイスと、
周辺に前記第１デバイスが存在するか否かを判断し、前記第１デバイスが存在すれものと判断されれば、前記第１デバイスの位置に応じて前記第１デバイスとの連動機能を行う第２デバイスを含むことを特徴とする連動機能の自動実行システム。
【請求項１５】
前記第２デバイスが前記第１デバイスの位置を判断し、
前記第１デバイスが第１位置と判断されれば、前記第２デバイスが第１連動機能を行い、
前記第１デバイスが第２位置と判断されれば、前記第２デバイスは第２連動機能を行うことを特徴とする請求項１４に記載の連動機能の自動実行システム。
【発明の詳細な説明】
【技術分野】
【０００１】
本発明は、連動機能の実行方法、およびこれを適用したデバイスに関し、より詳細には、複数のデバイスが複合的な１つの機能を共に行う方法、およびそれを適用したデバイスに関する。
【背景技術】
【０００２】
様々なデジタルデバイスの登場によってユーザが保有しているデジタルデバイスも増えるようになった。ユーザは、デジタルデバイスとの間に埋もれて生活を営んでいると言っても過言ではないだろう。
【０００３】
かかる様々なデジタルデバイスは、ユーザの生活を便利かつ豊かにしてきた。また、近年に至っては、さらに加速化したデジタルデバイスの高性能化および多機能化は、その貢献度をさらに高めている。
【０００４】
それにもかかわらず、ユーザはさらに便利かつ豊かな生活を求め、デジタルデバイスの更なる高性能化および多機能化からその解決策を見出している。
【０００５】
しかし、デジタルデバイスは単独で行う機能には限界がある。ユーザが保有しているデジタルデバイスが互いに融合して機能することで、デジタルデバイスが単独で行えない新たな機能が創出されるようにし、ユーザの生活をより便利かつ豊かにするための方案の模索が求められている。 
【先行技術文献】
【特許文献】
【０００６】
【特許文献１】韓国公開特許第２００８−０００５８４０号公報
【特許文献２】韓国公開特許第２００９−００１１２９８号公報
【特許文献３】韓国公開特許第２００８−００８４０４５号公報
【特許文献４】韓国公開特許第２００８−００８９６０８号公報
【発明の概要】
【発明が解決しようとする課題】
【０００７】
本発明は、前述した問題を解決するために案出されたものであって、本発明の目的とするところは、周辺に他のデバイスが存在すると判断されれば、それと共に連動機能を自動に行う方法、およびこれを適用したデバイスを提供することにある。
【課題を解決するための手段】
【０００８】
前述した目的を達成するために、本発明に係る連動機能の自動実行方法は、デバイスが、前記デバイスの周辺に他のデバイスが存在するか否かを判断するステップと、前記他のデバイスが存在すると判断される場合、前記デバイスが前記他のデバイスの位置に応じて前記他のデバイスとの連動機能を行うステップと、を含む。
【０００９】
また、前記デバイスが、前記他のデバイスの位置を判断するステップをさらに含み、前記ステップは、前記他のデバイスが第１位置と判断されれば、前記デバイスが第１連動機能を行うステップと、前記他のデバイスが第２位置と判断されれば、前記デバイスが第２連動機能を行うステップと、を含むことができる。
【００１０】
また、前記他のデバイスが前記デバイスの上に位置すれば、前記他のデバイスに保存された写真が前記デバイスに自動バックアップされるステップと、前記他のデバイスが前記デバイスの前に位置すれば、前記他のデバイスに保存された写真がスライドショー方式で再生されるステップと、を含むことができる。
【００１１】
また、前記他のデバイスが前記デバイスの横に並んで位置すれば、前記他のデバイスに保存されたアドレス帳が、前記デバイスに保存されるアドレス帳と同期化されるステップと、前記他のデバイスが前記デバイスと対向して位置すれば、前記他のデバイスに保存された写真が前記デバイスに保存された写真と同期化されるステップと、を含むことができる。
【００１２】
また、前記他のデバイスが前記デバイスの正面方向に位置すれば、前記他のデバイスに保存された写真が前記デバイスにスライドショー方式で再生されるステップと、前記他のデバイスが前記デバイスの横方向に位置すれば、前記他のデバイスに保存されたコンテンツと、前記デバイスに保存されるか、または接続されたコンテンツと同期化されるステップと、を含むことができる。
【００１３】
前記実行ステップは、前記連動機能が予め設定されている場合に前記連動機能を行うことが好ましい。
【００１４】
また、前記実行ステップは、前記デバイスが自分が行っていた機能を中止し、前記連動機能を行ってもよい。
【００１５】
前記実行ステップは、前記他のデバイスが前記デバイスの周辺から離隔された後にも継続して行われてもよい。
【００１６】
前述した目的を達成するための本発明に係る他のデバイスと連動機能を行う連動機能の自動実行デバイスは、周辺に前記他のデバイスが存在するか否かを判断する通信部と、前記他のデバイスが存在すると判断されれば、前記他のデバイスの位置に応じて前記他のデバイスとの連動機能を行うように前記自動実行デバイスを制御する制御部と、を備える。
【００１７】
また、前記制御部が、前記他のデバイスの位置を判断し、前記他のデバイスが第１位置と判断されれば、第１連動機能を行い、前記他のデバイスが第２位置と判断されれば、第２連動機能を行うことができる。
【００１８】
また、前記制御部が、前記連動機能が予め設定されている場合に前記連動機能を行うことができる。
【００１９】
また、前記制御部が、前記自動実行デバイスが行っていた機能を中止し、前記連動機能を行うことができる。
【００２０】
また、前記制御部は、前記他のデバイスが前記自動実行デバイスの周辺から離隔された後にも継続して行われてもよい。
【００２１】
前述した目的を達成するための本発明に係る連動機能の自動実行システムは、少なくとも１つのデバイスと連動機能を自動に行う第１デバイスと、周辺に前記第１デバイスが存在するか否かを判断し、前記第１デバイスが存在すれものと判断されれば、前記第１デバイスの位置に応じて前記第１デバイスとの連動機能を行う第２デバイスを備える。
【００２２】
また、前記第２デバイスが前記第１デバイスの位置を判断し、前記第１デバイスが第１位置と判断されれば、前記第２デバイスが第１連動機能を行い、前記第１デバイスが第２位置と判断されれば、前記第２デバイスは第２連動機能を行うことができる。
【発明の効果】
【００２３】
前述したように、本発明によると、周辺に他のデバイスが存在すると判断されれば、別のユーザ命令がなくても、予め設定された連動機能を他のデバイスと共に自動に行うことができるようになる。これによって２台のデバイスにユーザ命令をそれぞれ入力して連動機能を命令せずに済むため、ユーザがより便利になる。
【図面の簡単な説明】
【００２４】
【図１Ａ】隣接したデバイスとの間に連動機能を自動に行う概念を説明するための図である。
【図１Ｂ】隣接したデバイスとの間に連動機能を自動に行う概念を説明するための図である。
【図２Ａ】隣接したデバイスとの間に連動機能を自動に行う概念を説明するための図である。
【図２Ｂ】隣接したデバイスとの間に連動機能を自動に行う概念を説明するための図である。
【図３Ａ】隣接したデバイスとの間に連動機能を自動に行う概念を説明するための図である。
【図３Ｂ】隣接したデバイスとの間に連動機能を自動に行う概念を説明するための図である。
【図４Ａ】隣接したデバイスとの間に連動機能を自動に行う概念を説明するための図である。
【図４Ｂ】隣接したデバイスとの間に連動機能を自動に行う概念を説明するための図である。
【図５Ａ】隣接したデバイスとの間に連動機能を自動に行う概念を説明するための図である。
【図５Ｂ】隣接したデバイスとの間に連動機能を自動に行う概念を説明するための図である。
【図６Ａ】隣接したデバイスとの間に連動機能を自動に行う概念を説明するための図である。
【図６Ｂ】隣接したデバイスとの間に連動機能を自動に行う概念を説明するための図である。
【図７Ａ】隣接したデバイスとの間に連動機能を自動に行う概念を説明するための図である。
【図７Ｂ】隣接したデバイスとの間に連動機能を自動に行う概念を説明するための図である。
【図８】隣接したデバイスとの間に連動機能を自動に行う方法を説明するために提供されるフローチャートである。
【図９Ａ】隣接したデバイスとの位置を考慮して予め設定された連動機能を自動に実行される概念を説明するための図である。
【図９Ｂ】隣接したデバイスとの位置を考慮して予め設定された連動機能を自動に実行される概念を説明するための図である。
【図１０Ａ】隣接したデバイスとの位置を考慮して予め設定された連動機能を自動に実行される概念を説明するための図である。
【図１０Ｂ】隣接したデバイスとの位置を考慮して予め設定された連動機能を自動に実行される概念を説明するための図である。
【図１１】隣接したデバイスとの位置を考慮して相異なる種類の連動機能を自動に行う方法を説明するために提供されるフローチャートである。
【図１２Ａ】隣接したデバイスとの位置に応じて他の連動機能を自動に行う方法を説明するための図である。
【図１２Ｂ】隣接したデバイスとの位置に応じて他の連動機能を自動に行う方法を説明するための図である。
【図１３Ａ】隣接したデバイスとの位置に応じて他の連動機能を自動に行う方法を説明するための図である。
【図１３Ｂ】隣接したデバイスとの位置に応じて他の連動機能を自動に行う方法を説明するための図である。
【図１４Ａ】隣接したデバイスとの位置に応じて他の連動機能を自動に行う方法を説明するための図である。
【図１４Ｂ】隣接したデバイスとの位置に応じて他の連動機能を自動に行う方法を説明するための図である。
【図１５】本発明が適用可能なデバイスのブロック図である。
【発明を実施するための形態】
【００２５】
以下、図面を参照して本発明をより詳説する。
【００２６】
＜１．実施形態１＞
図１Ａおよび図１Ｂは、本発明の第１実施形態に係る連動機能の自動実行方法を説明するために提供される図である。図１Ａには、デジタルカメラ１１０がデジタルフォトフレーム１２０の近くに（予め設定された距離内に）隣接した状態を示されている。
【００２７】
同図に示すように、デジタルカメラ１１０およびデジタルフォトフレーム１２０が隣接すれば、デジタルカメラ１１０およびデジタルフォトフレーム１２０は、両者が連動して行う機能を自動に行い、その結果を図１Ｂに示している。
【００２８】
図１Ｂには、デジタルカメラ１１０が自分に保存された写真をデジタルフォトフレーム１２０に送信し、デジタルフォトフレーム１２０は、デジタルカメラ１１０から受信される写真をスライドショーで再生している状況を示している。
【００２９】
上記のような連動機能を自動に行うために、デジタルカメラ１１０がデジタルフォトフレーム１２０に近く隣接すれば、自分に保存された写真をデジタルフォトフレーム１２０に送信するよう予め設定されている。
【００３０】
また、上記のような連動機能を自動に行うためにデジタルフォトフレーム１２０は、デジタルカメラ１１０が近くに隣接すれば、デジタルカメラ１１０から受信される写真をスライドショーを行って再生するよう予め設定されている。
【００３１】
一方、デジタルカメラ１１０およびデジタルフォトフレーム１２０が連動機能の実行を開始すれば、その後の両者の距離が遠くなっても連動機能の実行は引き続く。
【００３２】
＜２．実施形態２＞
図２Ａおよび２Ｂは、本発明の第２実施形態に係る連動機能の自動実行方法を説明するために提供される図である。図２Ａには、デジタルカメラ２２０がＰＣ２１０の近くに隣接した状態を示している。
【００３３】
同図に示すように、デジタルカメラ２２０およびＰＣ２１０が隣接すれば、デジタルカメラ２２０およびＰＣ２１０は、両者が連動して行う機能を自動に実行し、その結果が図２Ｂに示している。
【００３４】
図２Ｂには、デジタルカメラ２２０が加えて保存された写真をＰＣ２１０に送信し、ＰＣ２１０は、デジタルカメラ２２０から受信した写真をＨＤＤの指定されたフォルダにバックアップしている状況を示している。
【００３５】
上記のような連動機能を自動に行うために、デジタルカメラ２２０がＰＣ２１０に近く隣接すれば、加えて保存された写真をＰＣ２１０に送信するよう予め設定されている。
【００３６】
また、上記のような連動機能を自動に行うために、ＰＣ２１０は、デジタルカメラ２２０が隣接すれば、デジタルカメラ２２０から受信される写真をＨＤＤの指定されたフォルダにバックアップするよう予め設定されている。
【００３７】
一方、ＰＣ２１０およびデジタルカメラ２２０が連動機能の実行を開始すれば、その後の両者の距離が遠くなっても連動機能の実行は引き続く。
【００３８】
＜３．実施形態３＞
図３Ａおよび３Ｂは、本発明の第３の実施形態に係る連動機能の自動実行方法を説明するために提供される図である。図３Ａには、写真を再生しているデジタルカメラ３１０が、プリンタ３２０に隣接した状態を示している。
【００３９】
同図に示すように、デジタルカメラ３１０およびプリンタ３２０が隣接すれば、デジタルカメラ３１０およびプリンタ３２０は、両者が連動して行う機能を自動に実行し、その結果が図３Ｂに示されている。
【００４０】
図３Ｂには、デジタルカメラ３１０が、現在再生している写真をプリンタ３２０に送信し、プリンタ３２０は、デジタルカメラ３１０から受信される写真を印刷している状況を示した。
【００４１】
上記のような連動機能を自動に行うために、デジタルカメラ３１０がプリンタ３２０に近く隣接すれば、現在再生している写真をプリンタ３２０に送信するよう予め設定されている。
【００４２】
また、上記のような連動機能を自動に行うために、プリンタ３２０はデジタルカメラ３１０が近くに隣接すれば、デジタルカメラ３１０から受信される写真を印刷するよう予め設定されている。
【００４３】
一方、音楽を再生しているＭＰ３プレーヤがプリンタ３２０に隣接すれば、連動機能としてＭＰ３プレーヤがプリンタ３２０に現在再生している音楽の情報を送信し、プリンタ３２０は、ＭＰ３プレーヤで再生している音楽の歌詞、楽譜などをインターネットでダウンロードして印刷するよう実現することができる。
【００４４】
＜４．実施形態４＞
図４Ａおよび図４Ｂは、本発明の第４の実施形態に係る連動機能の自動実行方法を説明するために提供される図である。図４Ａには、写真を再生している携帯電話Ａ４１０と、待機モードの携帯電話Ｂ４２０が互いに隣接した状態を示している。
【００４５】
同図に示すように、携帯電話Ａ４１０と携帯電話Ｂ４２０が隣接すれば、携帯電話Ａ４１０と携帯電話Ｂ４２０は、両者が連動して行う機能を自動に実行し、その結果が図４Ｂに示されている。
【００４６】
図４Ｂには、携帯電話Ａ４１０が、現在再生している写真を携帯電話Ｂ４２０に送信し、携帯電話Ｂ４２０は、待機モードで写真再生モードに変換して携帯電話Ａ４１０から受信される写真を画面にディスプレイする状況を示している。
【００４７】
上記のような連動機能を自動に行うために、携帯電話Ａ４１０が携帯電話Ｂ４２０の近くに隣接すれば、現在再生している写真を携帯電話Ｂ４２０に送信するよう予め設定されている。
【００４８】
また、上記のような連動機能を自動に行うために、携帯電話Ｂ４２０が携帯電話Ａ４１０の近くに隣接すれば、携帯電話Ａ４１０から受信される写真を画面にディスプレイするよう予め設定されている。
【００４９】
一方、携帯電話Ａ４１０および携帯電話Ｂ４２０が連動機能の実行を開始すれば、その後両者の距離が遠くなっても連動機能の実行は引き続く。
【００５０】
＜５．実施形態５＞
図５Ａおよび図５Ｂは、本発明の第５実施形態に係る連動機能の自動実行方法を説明するために提供される図である。図５Ａには、写真を再生している携帯電話５１０が放送の再生中であるＴＶ５２０に隣接した状態を示している。
【００５１】
同図に示すように携帯電話５１０およびＴＶ５２０が隣接すれば、携帯電話５１０およびＴＶ５２０は、両者が連動して行う機能を自動に行って、その結果が図５Ｂに示されている。
【００５２】
図５Ｂには、携帯電話５１０が現在再生している写真をＴＶ５２０に送信し、ＴＶ５２０は放送の再生を中止し、携帯電話５１０から受信される写真を再生している状況を示している。
【００５３】
上記のような連動機能を自動に行うために、携帯電話５１０がＴＶ５２０に近く隣接すれば、現在再生している写真をＴＶ５２０に送信するよう予め設定されている。
【００５４】
また、上記のような連動機能を自動に行うためにＴＶ５２０は、携帯電話５１０が近くに隣接すれば、携帯電話５１０から受信される写真を再生するよう予め設定されている。
【００５５】
一方、携帯電話５１０およびＴＶ５２０が連動機能の実行を開始すれば、その後の両者の距離が遠くなっても連動機能の実行は引き続く。
【００５６】
＜６．実施形態６＞
図６Ａおよび６Ｂは、本発明の第６の実施形態に係る連動機能の自動実行方法を説明するために提供される図である。図６Ａには、デジタルカムコーダ６１０が放送の再生中のＴＶ６２０に近く隣接した状態を示している。
【００５７】
同図に示すように、デジタルカムコーダ６１０およびＴＶ６２０が隣接すれば、デジタルカムコーダ６１０およびＴＶ６２０は、両者が連動して行う機能を自動に実行し、その結果を図６Ｂに示している。
【００５８】
図６Ｂには、デジタルカムコーダ６１０が現在撮影している映像をリアルタイムでＴＶ６２０に送信し、ＴＶ６２０は放送の再生を中止してデジタルカムコーダ６１０から受信されるビデオを再生している状況を示している。
【００５９】
上記のような連動機能を自動に行うためにデジタルカムコーダ６１０は、ＴＶ６２０に近く隣接すれば、現在撮影している映像をリアルタイムでＴＶ６２０に送信するよう予め設定されている。
【００６０】
また、上記のような連動機能を自動に行うためにＴＶ６２０は、デジタルカムコーダ６１０が近く隣接すれば、デジタルカムコーダ６１０から受信される映像を再生するよう予め設定されている。
【００６１】
一方、デジタルカムコーダ６１０およびＴＶ６２０が連動機能の実行を開始すれば、その後の両者の距離が遠くなっても連動機能の実行は引き続く。
【００６２】
＜７．実施形態７＞
図７Ａおよび図７Ｂは、本発明の第７実施形態に係る連動機能の自動実行方法を説明するために提供される図である。図７Ａには、携帯電話７２０がＰＣ７１０に近く隣接した状態を示している。
【００６３】
同図に示すように、携帯電話７２０およびＰＣ７１０が隣接すれば、携帯電話７２０およびＰＣ７１０は、両者が連動して行う機能を自動に実行し、その結果が図７Ｂに示されている。
【００６４】
図７Ｂには、携帯電話７２０が自分に保存されているスケジュール情報をＰＣ７１０に送信し、ＰＣ７１０は、携帯電話７２０から受信されるスケジュール情報を指定されたフォルダにバックアップしている状況を示している。
【００６５】
上記のような連動機能を自動に行うために、携帯電話７２０がＰＣ７１０に近く隣接すれば、自分に保存されているスケジュール情報をＰＣ７１０に送信するよう予め設定されている。
【００６６】
また、上記のような連動機能を自動に行うためにＰＣ７１０は、携帯電話７２０が近く隣接すれば、携帯電話７２０から受信されるスケジュール情報を指定されたフォルダにバックアップするよう予め設定されている。
【００６７】
一方、携帯電話７２０およびＰＣ７１０が連動機能の実行を開始すれば、その後の両者の距離が遠くなっても連動機能の実行は引き続く。
【００６８】
＜８．隣接したデバイスとの間の連動機能の自動実行方法＞
図８は、隣接したデバイスとの間に連動機能の自動実行方法を説明するために提供されるフローチャートである。
【００６９】
同図に示すように、デバイスは、ユーザが命令した機能を行いつつ（Ｓ８１０）、自分の周辺に他のデバイスが存在するか否かを判断する（Ｓ８２０）。
【００７０】
ステップＳ８２０において、他のデバイスが存在すると判断されれば（Ｓ８２０−Ｙ）、デバイスは自分と他のデバイスが共に行う自動連動機能が設定されているか否かを判断する（Ｓ８３０）。
【００７１】
ステップＳ８３０において、自動連動機能が設定されていると判断されれば（Ｓ８３０−Ｙ）、デバイスは、他のデバイスと通信できるように接続を設定する（Ｓ８４０）。
【００７２】
また、デバイスは他のデバイスと共に自動連動機能を行う（Ｓ８５０）。
【００７３】
＜９．実施形態８＞
図９Ａ、図９Ｂ、図１０Ａ、および図１０Ｂは、本発明の第８実施形態に係る連動機能の自動実行方法を説明するために提供される図である。図９Ａには、デジタルカメラ９２０がデジタルフォトフレーム９１０の「背面」に近く隣接した状態を示している。
【００７４】
図９Ａに示すように、デジタルカメラ９２０がデジタルフォトフレーム９１０の背面に隣接すれば、デジタルカメラ９２０およびデジタルフォトフレーム９１０は、両者が連動して行う機能を自動に実行し、その結果が図９Ｂに示されている。
【００７５】
図９Ｂには、デジタルカメラ９２０が自分に保存される写真をデジタルフォトフレーム９１０に送信し、デジタルフォトフレーム９１０は、デジタルカメラ９２０から受信される写真を自分の保存媒体にバックアップしている状況を示している。
【００７６】
上記のような連動機能を自動に行うために、デジタルカメラ９２０がデジタルフォトフレーム９１０の背面に近く隣接すれば、自分に保存された写真をデジタルフォトフレーム９１０に送信するよう予め設定されている。
【００７７】
また、上記のような連動機能を自動に行うために、デジタルフォトフレーム９１０が自分の背面にデジタルカメラ９２０が近く隣接すれば、デジタルカメラ９２０から受信される写真を自分の保存媒体にバックアップするよう予め設定されている。
【００７８】
一方、デジタルカメラ９２０およびデジタルフォトフレーム９１０が連動機能の実行を開始すれば、その後の両者の距離が遠くなっても連動機能の実行は引き続く。
【００７９】
図１０Ａには、デジタルカメラ９２０がデジタルフォトフレーム９１０の「前面」に近く隣接した状態を示している。
【００８０】
同図に示すように、デジタルカメラ９２０がデジタルフォトフレーム９１０の前面に隣接すれば、デジタルカメラ９２０およびデジタルフォトフレーム９１０は、両者が連動して行う機能を自動に実行し、その結果が図１０Ｂに示されている。
【００８１】
図１０Ｂに示すように、デジタルカメラ９２０が自分に保存された写真をデジタルフォトフレーム９１０に送信し、デジタルフォトフレーム９１０は、デジタルカメラ９２０から受信される写真をスライドショーしている状況を示している。
【００８２】
上記のような連動機能を自動に行うために、デジタルカメラ９２０がデジタルフォトフレーム９１０の前面に近く隣接すれば、自分に保存された写真をデジタルフォトフレーム９１０に送信するよう予め設定されている。
【００８３】
また、上記のような連動機能を自動に行うために、デジタルフォトフレーム９１０が自分の前面にデジタルカメラ９２０が近く隣接すれば、デジタルカメラ９２０から受信される写真をスライドショーするよう予め設定されている。
【００８４】
一方、デジタルカメラ９２０およびデジタルフォトフレーム９１０は、連動機能の実行を開始すれば、その後の両者の距離が遠くなっても連動機能の実行は引き続く。
【００８５】
＜１０．隣接したデバイスの位置を考慮した連動機能の自動実行方法＞
図１１は隣接したデバイスの位置を考慮し、相異なる種類の連動機能の自動実行方法を説明するために提供されるフローチャートである。
【００８６】
同図に示すように、デバイスは、ユーザが命令した機能を行いつつ（Ｓ１１１０）、自分の周辺に他のデバイスが存在するか否かを判断する（Ｓ１１２０）。
【００８７】
ステップＳ１１２０において、自分の周辺に他のデバイスが存在すると判断されれば（Ｓ１１２０−Ｙ）、デバイスは、他のデバイスの位置を検出する（Ｓ１１３０）。
【００８８】
その後、デバイスは、ステップＳ１１３０において、把握された他のデバイスの位置に基づいて他のデバイスと自分が共に行う自動連動機能を把握する（Ｓ１１４０）。
【００８９】
また、デバイスは、他のデバイスと通信できるように接続を設定する（Ｓ１１５０）。その後、デバイスは他のデバイスと共に自動連動機能を行う（Ｓ１１６０）。
【００９０】
＜１１．実施形態９＞
図１２Ａ、図１２Ｂ、図１３Ａ、図１３Ｂ、図１４Ａ、および図１４Ｂは、本発明の第９実施形態に係る連動機能の自動実行方法を説明するために提供される図である。
【００９１】
図１２Ａには、デジタルカメラ１２２０がＰＣ１２１０の本体上に位置し、図１２Ｂには、デジタルカメラ１２２０がＰＣ１２１０の本体の前に位置している場合が示されている。
【００９２】
図１２Ａに示すように、デジタルカメラ１２２０がＰＣ１２１０の本体上に位置する場合、デジタルカメラ１２２０およびＰＣ１２１０の両者が連動機能を自動に実行し、デジタルカメラ１２２０は、デジタルカメラ１２２０に保存された写真をＰＣ１２１０本体に送信し、ＰＣ１２１０は、デジタルカメラ１２２０から受信される写真を自分の保存媒体にバックアップすることができる。
【００９３】
また、図１２Ｂに示すように、デジタルカメラ１２２０がＰＣ１２１０本体の前に位置する場合、デジタルカメラ１２２０およびＰＣ１２１０の両者が連動機能を自動に実行し、デジタルカメラ１２２０は、デジタルカメラ１２２０に保存された写真をＰＣ１２１０に送信し、ＰＣ１２１０は、デジタルカメラ１２２０から受信される写真をスライドショー方式に再生することができる。
【００９４】
図１３Ａに示すように、携帯電話Ａ１３１０および携帯電話Ｂ１３２０は、液晶が上方向または下方向に向いて並んで位置する場合、携帯電話Ａ１３１０および携帯電話Ｂ１３２０の両者が連動機能を自動に実行し、携帯電話Ａ１３１に保存されたアドレス帳と携帯電話Ｂ１３２０に保存されたアドレス帳を同期化することができる。
【００９５】
また、図１３Ｂに示すように、携帯電話Ａ１３１０および携帯電話Ｂ１３２０が互いに対向して位置する場合、携帯電話Ａ１３１０および携帯電話Ｂ１３２０の両者が連動機能を自動に実行し、携帯電話Ａ１３１０に保存された写真と携帯電話Ｂ１３２０に保存された写真を同期化することができる。
【００９６】
図１４Ａに示すように、携帯電話１４２０がＴＶ１４１０の正面方向の中間に位置すれば、携帯電話１４２０およびＴＶ１４１０の両者が連動機能を自動に実行し、携帯電話１４２０は、携帯電話１４２０に保存された写真をＴＶ１４１０に送信し、ＴＶ１４１０は、携帯電話１４２０から受信される写真をスライドショー方式に再生することができる。
【００９７】
また、図１４Ｂに示すように、携帯電話１４２０がＴＶ１４１０の横方向に位置すれば、携帯電話１４１０およびＴＶ１４２０の両者が連動機能を自動に実行し、携帯電話１４２０は、携帯電話１４２０に保存されたコンテンツはＴＶ１４１０のハードディスクに保存されたコンテンツまたはＴＶに接続されたＵＳＢデバイスに保存されたコンテンツと同期化することができる。
【００９８】
＜１５．その他＞
上記の実施形態において、２つのデバイスが互いに隣接した場合に連動機能が自動に実行されるものと想定したが、これは例示的なものであるため、これとは異なるように実現可能である。たとえば、２つのデバイスが接した（タッチした）場合に連動機能が自動に行われるよう実現することも可能である。
【００９９】
この場合、デバイスが他のデバイスのいずれの部分に接したかに応じて実行される連動機能の種類を決定することができる。たとえば、デバイスが他のデバイスの「前面」に接した場合には「第１」の連動機能が行われ、デバイスが他のデバイスの「背面」に接した場合には「第２」の連動機能が行われるように実現可能である。
【０１００】
そのためには、デバイスがいずれの部分に接したかを検出するためのセンサーを他のデバイスの表面に備えなければならない。
【０１０１】
さらに、デバイスのいずれの部分が他のデバイスのいずれの部分に接したかに応じて行われる連動機能の種類を決定することができる。たとえば、デバイスの「前面」と他のデバイスの「前面」に接した場合には「第１」の連動機能が行われ、デバイスの「背面」と他のデバイスの「背面」に接した場合には「第２」の連動機能が行われるように実現可能である。
【０１０２】
一方、デバイスが共に行われる連動機能の種類はユーザによって設定してもよい。のみならず、予め設定された連動機能が、ユーザによって他の種類の連動機能に変更されてもよい。
【０１０３】
また、連動機能は、デバイスの属性に応じて自動設定することができる。たとえば、カメラの属性は写真撮影と見てもよく、プリンタの属性は印刷と見てもよいため、両者の連動機能はカメラで撮影された写真をプリンタで印刷するものと、自動設定されるのである。
【０１０４】
＜１６．本発明が適用可能なデバイス＞
前述した実施形態で記載したデバイスは例示的なものに過ぎない。上記のデバイス以外のデバイスも本発明の技術的な思想が適用され得る。
【０１０５】
図１５には、本発明が適用可能なデバイスのブロック図を示している。図１２に示すように、デバイスは、機能ブロック１５１０、ディスプレイ１５２０、制御部１５３０、保存部１５４０、および通信部１５５０を備える。
【０１０６】
機能ブロック１５１０はデバイス本来の機能を行う。仮にデバイスが携帯電話フォンであれば、機能ブロック１５１０は、電話通話、ＳＭＳなどを行い、仮にデバイスがＴＶであれば、機能ブロック１５１０は、放送受信および再生を行う。
【０１０７】
ディスプレイ１５２０には、機能ブロック１５１０の機能の実行結果およびＧＵＩがディスプレイされる。
【０１０８】
保存部１５４０は、機能ブロック１５１０の機能を行うと共にＧＵＩ提供に必要なプログラム、コンテンツ、その他のデータが保存される保存媒体である。
【０１０９】
通信部１５５０は、デバイスに隣接する周辺に他のデバイスが接近したかを検出し、検出された他のデバイスと通信できるように接続を設定する。
【０１１０】
また、通信部１５５０は、周辺に他のデバイスの位置を検出する。たとえば、通信部１５５０は、デバイスの前面、背面、左側面および右側面のいずれかの面に他のデバイスが接近したか否かを検出する。そのためには、通信部１５５０は、複数の指向性アンテナを用いることはもちろん、複数の指向性センサを用いてもよい。
【０１１１】
一方、通信省１５５０は、周辺に他のデバイスの位置を検出するための両方向無線通信モジュールを備えてもよい。このとき、両方向の無線通信モジュールの無線通信方式に対する制限はないことから、赤外線通信、音波通信、ＲＦ通信、および無線ネットワーク通信などと実現可能である。
【０１１２】
制御部１５３０は、上記の図８および図１１に示すステップを行ってデバイスが他のデバイスと連動機能を行うことができるように制御する。
【０１１３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１１４】
Ｓ８１０  ユーザが命令した機能をデバイスが行うステップ
Ｓ８２０  デバイスが自分の周辺に他のデバイスが存在するか否かを判断するステップ
Ｓ８３０  デバイスが自分と他のデバイスが共に行う自動連動機能が設定されているか否かを判断するステップ
Ｓ８４０  デバイスが他のデバイスと通信できるように接続を設定するステップ
Ｓ８５０  デバイスが他のデバイスと共に自動連動機能を行うステップ
【図１Ａ】
2011045087.tif 000003
【図１Ｂ】
2011045087.tif 000004
【図２Ａ】
2011045087.tif 000005
【図２Ｂ】
2011045087.tif 000006
【図３Ａ】
2011045087.tif 000007
【図３Ｂ】
2011045087.tif 000008
【図４Ａ】
2011045087.tif 000009
【図４Ｂ】
2011045087.tif 000010
【図５Ａ】
2011045087.tif 000011
【図５Ｂ】
2011045087.tif 000012
【図６Ａ】
2011045087.tif 000013
【図６Ｂ】
2011045087.tif 000014
【図７Ａ】
2011045087.tif 000015
【図７Ｂ】
2011045087.tif 000016
【図８】
2011045087.tif 000017
【図９Ａ】
2011045087.tif 000018
【図９Ｂ】
2011045087.tif 000019
【図１０Ａ】
2011045087.tif 000020
【図１０Ｂ】
2011045087.tif 000021
【図１１】
2011045087.tif 000022
【図１２Ａ】
2011045087.tif 000023
【図１２Ｂ】
2011045087.tif 000024
【図１３Ａ】
2011045087.tif 000025
【図１３Ｂ】
2011045087.tif 000026
【図１４Ａ】
2011045087.tif 000027
【図１４Ｂ】
2011045087.tif 000028
【図１５】
2011045087.tif 000029